(57)【特許請求の範囲】
【請求項１】
処理槽に添加剤を供給する添加剤供給装置に設けられる添加剤供給監視装置であって、添加剤が貯留された添加剤槽と、該添加剤槽から一定量の添加剤を汲み上げる汲み上げ装置と、該汲み上げ装置が汲み上げた添加剤を処理槽に供給する添加剤供給装置とを少なくとも有し、前記汲み上げ装置と添加剤供給装置との間で、かつ、処理槽の前面に、前記汲み上げ装置から供給された添加剤を一旦蓄える、透明体で成る監視槽を設けたこと、
を特徴とする添加剤供給監視装置。
【請求項２】
汲み上げ装置には、透明シリンダーと、該シリンダーのピストンを往復動させる駆動装置と、該駆動装置を制御する制御装置と、該制御装置の一部に設けられ前記駆動装置の往復動の回数を計測するカウンターと、が設けられていること、
を特徴とする請求項１に記載の添加剤供給監視装置。
【発明の詳細な説明】
【０００１】
【発明の属する技術分野】
本発明は、添加剤供給監視装置に係り、更に詳しくは、メッキ処理等する処理槽の処理液を供給する供給装置において、当該供給装置による供給量を監視する添加剤供給監視装置に関する。
【０００２】
【従来の技術】
従来、例えば、メッキ処理するメッキ槽に電解液等の処理液を補充・供給するための供給装置は、通常、定量ポンプを使用しているものが知られている。
【０００３】
【発明が解決しようとする課題】
しかしながら、定量ポンプを使用して成る処理液供給装置は、例えば、ポンプ内にエアーが混入することも考えられ、必要容量の薬液が充填されたか否かを確認する手段がない、注入容量の設定は可能だがその確認が出来ない、薬液等の注入容量のトータル管理システムがない、等の課題がある。本発明に係る添加剤供給装置は、このような課題を解消するために提案されるものである。
【０００４】
【課題を解決するための手段】
本発明にかかる添加剤供給監視装置の上記課題を解決するための要旨は、処理槽に添加剤を供給する添加剤供給装置に設けられる添加剤供給監視装置であって、添加剤が貯留された添加剤槽と、該添加剤槽から一定量の添加剤を汲み上げる汲み上げ装置と、該汲み上げ装置が汲み上げた添加剤を処理槽に供給する添加剤供給装置とを少なくとも有し、前記汲み上げ装置と添加剤供給装置との間で、かつ、処理槽の前面に、前記汲み上げ装置から供給された添加剤を一旦蓄える、透明体で成る監視槽を設けたことである。
【０００５】
前記汲み上げ装置には、透明シリンダーと、該シリンダーのピストンを往復動させる駆動装置と、該駆動装置を制御する制御装置と、該制御装置の一部に設けられ前記駆動装置の往復動の回数を計測するカウンターと、が設けられていることである。
【０００６】
本発明に係る添加剤供給監視装置によれば、汲み上げ装置のシリンダーが透明な透明シリンダーであるので、添加剤が必要量で充填される様子を監視することで可能となる。また、透明シリンダーのピストンの往復動の回数をカウンターで計測して、トータル注入量を容易に管理できるようになる。更に、処理槽の前面に透明な監視槽を設けることで、添加剤の注入容量の確認ができるようになる。
【０００７】
【発明の実施の形態】
次に、本発明に係る添加剤供給監視装置について図面を参照して説明する。図１は、添加剤供給監視装置１を含むメッキ処理等を行う処理装置２の全体構成ブロック図である。
【０００８】
処理装置２には、処理液３が貯留されている処理槽４と、該処理槽４の処理液中に差し込まれた陽極棒５と、陰極に接続され吊持されたプリント基板等の処理物６と、整流器７と、積算電流計８と、該積算電流計８に電気的に接続された制御機器９とが設けられている。
【０００９】
そして、前記処理槽４に供給管ａを介して添加剤（処理液等）を添加するフィルター１０及びポンプ１１とでなる添加剤供給装置１２が設けられている。
【００１０】
添加剤供給監視装置１は、監視槽１３と汲み上げ装置１ａとから構成される。前記ポンプ１１に供給管ｂを介して接続され、ガラス管製又は合成樹脂製の透明な有底筒体の監視槽１３が前記処理槽４の前面に設けられている。
【００１１】
前記監視槽１３の上部から、供給管ｃを介して切替え弁１４が設けられ、この切替え弁１４の一方には、透明な筒体で形成された透明シリンダー１５が接続されている。当該筒体１５ａは、例えば、透明なガラス管製、合成樹脂製等である。透明シリンダー１５の筒表面には、供給量設定用の目盛りが刻設されている。
【００１２】
更に、前記透明シリンダー１５と、透明シリンダー１５のピストン１５ｂを連結バー１６ａを介して往復動させる駆動装置１６と、該駆動装置１６の往復動を制御する制御装置９と、該制御装置９の一部に設けられ前記駆動装置１６の往復動の回数を計測するカウンター１７と、によって汲み上げ装置１ａが構成されている。
【００１３】
前記切替え弁１４の他方には、供給管ｄが接続され、その供給管ｄの一端が添加剤１８ａが貯留された添加剤槽１８に導入されている。
【００１４】
以上のように構成された添加剤供給監視装置１によれば、積算電流計８を監視している制御機器９が、処置槽４内の処理液３が増減したり、希硫酸等の濃度が変化したりしたことで通過電流が変化すると、一定量の添加剤１８ａを添加すべく、駆動装置１６を作動させる。
【００１５】
前記駆動装置１６は、カウンター１７でカウントされながら一定回数駆動し、透明シリンダー１５により、添加剤１８ａが添加剤槽１８から汲み上げられ、供給管ｃを介して監視槽１３に貯留される。
【００１６】
前記監視槽１３に貯留された一定量の添加剤が、添加剤供給装置１２のポンプ１１により、フィルター１０を通過して供給管ａで処理槽４内に供給される。こうして、プリント基板等の処理物６が適切にめきッキ処理等されるものである。
【００１７】
【発明の効果】
以上説明したように、本発明に係る添加剤供給監視装置は、処理槽に添加剤を供給する添加剤供給装置に設けられる添加剤供給監視装置であって、添加剤が貯留された添加剤槽と、該添加剤槽から一定量の添加剤を汲み上げる汲み上げ装置と、該汲み上げ装置が汲み上げた添加剤を処理槽に供給する添加剤供給装置とを少なくとも有し、前記汲み上げ装置と添加剤供給装置との間で、かつ、処理槽の前面に、前記汲み上げ装置から供給された添加剤を一旦蓄える、透明体で成る監視槽を設けたので、外部から必要容量の添加剤が充填されていることが確認できる。
【００１８】
前記汲み上げ装置には、透明シリンダーと、該シリンダーのピストンを往復動させる駆動装置と、該駆動装置を制御する制御装置と、該制御装置の一部に設けられ前記駆動装置の往復動の回数を計測するカウンターと、が設けられているので、添加剤の注入容量のトータル容量が確実に把握できるという優れた効果を奏するものである。
【００１９】
前記汲み上げ装置と添加剤供給装置との間で、かつ、処理槽の前面に、前記汲み上げ装置から供給された添加剤を一旦蓄える、透明材で形成した監視槽を設けたので、添加剤の注入量の設定と確認が容易に出来るという優れた効果を奏するものである。
【図面の簡単な説明】
【図１】本発明に係る添加剤供給監視装置の構成を示す概略ブロック図である。
【符号の説明】
１  添加剤供給監視装置、１ａ  汲み上げ装置、２  処理装置、
３  処理液、  ４  処理槽、５  陽極棒、６  処理物、
７  整流器、８  積算電流計、
９  制御機器、１０  フィルター、
１１  ポンプ、１２  添加剤供給装置、
１３  監視槽、１４  切替え弁、１５  透明シリンダー、
１６  駆動装置、１７  カウンター、
１８  添加剤槽、１８ａ  添加剤、
ａ，ｂ，ｃ，ｄ  供給管。
【図１】
0004038290.tif 000002